(57)【要約】【課題】コネクタの大型化を招くことなく、正規嵌合面近傍の特性インピーダンスを上げることが可能なシールドコネクタユニットおよびシールドコネクタを提供すること。【解決手段】  正規嵌合面Ｓから雌側端子収容部１９までの間に雌側空間部１５が設けられ、この雌側空間部１５中に露出された隣り合う各雌型内導体端子５０間が空気で満たされている雌側シールドコネクタ１１と、正規嵌合面Ｓから雄側端子収容部２７までの間に雄側空間部２３が設けられ、この雄側空間部２３中に露出された隣り合う各雄型内導体端子７０間が空気で満たされている雄側シールドコネクタ１２とを用い、両コネクタ１１、１２の正規嵌合時に、正規嵌合面Ｓにおいて雌側空間部１５と雄側空間部２３とが連通されて形成された空間部３０内において、雌型内導体端子５０と雄型内導体端子７０とが導通されるシールドコネクタユニット１０とする。【選択図】  図７
2005347191.tif 000002
【特許請求の範囲】
【請求項１】
筒状の嵌合部を有する複数の雌型内導体端子と、これら雌型内導体端子を収容保持する雌側端子収容部を有する雌側誘電体と、この雌側誘電体に収容保持された前記雌型内導体端子の外周を覆う雌側外導体端子とを少なくとも有し、正規嵌合面から前記雌側端子収容部までの間には、雌側空間部が設けられ、この雌側空間部中に露出された隣り合う各雌型内導体端子間は空気で満たされている雌側シールドコネクタと、
タブ部を有する複数の雄型内導体端子と、これら雄型内導体端子を収容保持する雄側端子収容部を有する雄側誘電体と、この雄側誘電体に収容保持された前記雄型内導体端子の外周を覆う雄側外導体端子とを少なくとも有し、正規嵌合面から前記雄側端子収容部までの間には、雄側空間部が設けられ、この雄側空間部中に露出された隣り合う各雄型内導体端子間は空気で満たされている雄側シールドコネクタとを備え、
両コネクタの正規嵌合時に、前記正規嵌合面において前記雌側空間部と前記雄側空間部とが連通されて一つの空間部が形成され、この空間部内において、前記雌型内導体端子と前記雄型内導体端子とが導通されることを特徴とするシールドコネクタユニット。
【請求項２】
筒状の嵌合部を有する複数の雌型内導体端子と、これら雌型内導体端子を収容保持する雌側端子収容部を有する雌側誘電体と、この雌側誘電体に収容保持された前記雌型内導体端子の外周を覆う雌側外導体端子とを少なくとも有する雌側シールドコネクタであって、
正規嵌合面から前記雌側端子収容部までの間には、雌側空間部が設けられ、この雌側空間部中に露出された隣り合う各雌型内導体端子間は空気で満たされていることを特徴とする雌側シールドコネクタ。
【請求項３】
タブ部を有する複数の雄型内導体端子と、これら雄型内導体端子を収容保持する雄側端子収容部を有する雄側誘電体と、この雄側誘電体に収容保持された前記雄型内導体端子の外周を覆う雄側外導体端子とを少なくとも有する雄側シールドコネクタであって、
正規嵌合面から前記雄側端子収容部までの間には、雄側空間部が設けられ、この雄側空間部中に露出された隣り合う各雄型内導体端子間は空気で満たされていることを特徴とする雄側シールドコネクタ。
【請求項４】
請求項２に記載の雌側シールドコネクタが有する複数の雌側内導体端子または請求項３に記載の雄側シールドコネクタが有する複数の雄側内導体端子と雌側シールドケーブルまたは雄側シールドケーブルから露出された複数の信号線とを接続する際に、雌型内導体端子または雄型内導体端子よりも雌側シールドケーブル側または雄側シールドケーブル側の部分に配設される隣り合う各信号線間を誘電材料で被覆することを特徴とするシールドコネクタの接続方法。
【発明の詳細な説明】
【技術分野】
【０００１】
本発明は、シールドコネクタユニットおよびシールドコネクタならびにシールドコネクタの接続方法に関し、さらに詳しくは、高周波信号の伝送などに好適に用いられるシールドコネクタユニットおよびシールドコネクタならびにシールドコネクタの接続方法に関するものである。
【背景技術】
【０００２】
従来、高周波信号を伝送するシールドケーブル同士の接続や、シールドケーブルと各種電気装置との接続などにはシールドコネクタが多用されている。
【０００３】
この種のシールドコネクタとしては、例えば、図１８に示すように、高周波信号を伝送する雌型内導体端子５０と、雌型内導体端子５０を電磁的に遮蔽する雌側外導体端子５１と、雌側外導体端子５１と導通される雌側ドレイン端子５２と、雌側外導体端子５１および雌側ドレイン端子５２と雌型内導体端子５０との間を絶縁する雌側誘電体５３とを備えた雌側シールドコネクタ５４が知られている（特許文献１参照）。
【０００４】
図１８において、雌型内導体端子５０は、嵌合部５５と接続部５６とを前後（嵌合方向を前方とする。以下同じ。）に備えている。嵌合部５５は、筒状に形成されており、その内部には、後述する雄型内導体端子７０のタブ部７５と弾性接触可能な弾性接触片５７が設けられている。一方、接続部５６には、一対の対向する圧接刃５８が２箇所設けられており、雌側シールドケーブル５９の信号線６０を圧接接続可能とされている。
【０００５】
雌側外導体端子５１は、シェル部６１と圧着部６２とを前後に備えている。シェル部６１は、筒状に形成されており、その内部に雌側誘電体５３を収容保持可能とされている。シェル部６１の内側上面には、雌側誘電体５３に収容保持された雌側ドレイン端子５２と弾性接触可能な弾性接触片６３が設けられている。一方、圧着部６２は、一対の対向する圧着片６４を有しており、雌側シールドケーブル５９をかしめ接続可能とされている。
【０００６】
雌側ドレイン端子５２は、上記雌型内導体端子５０と同一形状のものであり、接続部５６には、雌側シールドケーブル５９のドレイン線６５が圧接接続される。
【０００７】
雌側誘電体５３は、前後方向に貫通した複数の雌側端子収容部６６を備えている。各雌側端子収容部６６の間は、隔壁６７により隔てられており、これら隔壁６７を介して雌型内導体端子５０、雌側ドレイン端子５２を収容保持可能とされている。各雌側端子収容部６６の後方上面は、収容保持された雌型内導体端子５０、雌側ドレイン端子５２に、それぞれ雌側シールドケーブル５９の信号線６０、ドレイン線６５を上方から圧接接続できるよう開口されている。ドレイン端子５２を収容保持する雌側端子収容部６６の前方上面には、収容保持された雌側ドレイン端子５２の上面にまで達する溝部６８が形成され、雌側外導体端子５１の弾性接触片６３と雌側ドレイン端子５２とが導通可能とされている。各雌側端子収容部６６の後方には、雌側外導体端子５１の内側面と雌側シールドケーブル５９の信号線６０およびドレイン線６５との間に配置される板状部６９が延設されている。
【０００８】
また、上記雌側シールドコネクタ５４の相手側となる雄側シールドコネクタとしては、例えば、図１９に示すように、高周波信号を伝送する雄型内導体端子７０と、雌型内導体端子５２と導通される雄側ドレイン端子７１と、雄型内導体端子７０を電磁的に遮蔽する雄側外導体端子７２と、雄側外導体端子７２と雄型内導体端子７０との間を絶縁する雄側誘電体７３とを備えた雄側シールドコネクタ７４が知られている。
【０００９】
図１９において、雄型内導体端子７０は、タブ部７５と接続部７６とを前後に備えている。タブ部７５は、先端先細状に形成されている。一方、接続部７６には、一対の対向する圧接刃７７が２箇所設けられており、雄側シールドケーブル７８の信号線７９を圧接接続可能とされている。
【００１０】
雄側外導体端子７２は、シェル部８０と圧着部８１とを前後に備えている。シェル部８０は、雌側外導体端子５１のシェル部６１の外形より僅かに大きな筒状に形成されており、その内部に雄側誘電体７３を収容保持可能とされている。シェル部８０の左右の壁面には、雌側外導体端子５１の左右の壁面と弾性接触可能な弾性接触片８２が設けられている。一方、圧着部８１は、一対の対向する圧着片８３を有しており、雄側シールドケーブル７８をかしめ接続可能とされている。
【００１１】
雄側ドレイン端子７１は、上記雄型内導体端子７０と同一形状のものであり、接続部７６には、雄側シールドケーブル７８のドレイン線８４が圧接接続される。
【００１２】
雄側誘電体７３は、前後方向に貫通した複数の雄側端子収容部８５を備えている。各雄側端子収容部８５の間は、隔壁８６により隔てられており、これら隔壁８６を介して雄型内導体端子７０、雄側ドレイン端子７１を、そのタブ部７５を前方に突き出した状態で収容保持可能とされている。各雄側端子収容部８５の後方上面は、収容保持された雄型内導体端子７０、雄側ドレイン端子７１に、それぞれ雄側シールドケーブル７８の信号線７９、ドレイン線８４を上方から圧接接続できるよう開口されている。各雄側端子収容部８５の後方には、雄側外導体端子７２の内側面と雄側シールドケーブル７８の信号線７９およびドレイン線８４との間に配置される板状部８７が延設されている。
【００１３】
そして、上記雌側シールドコネクタ５４と雄側シールドコネクタ７４とを互いに嵌合させると、図２０および図２１に示すように、雌側誘電体５３の前端面８８と雄側誘電体７３の前端面８９とが正規嵌合面Ｓにおいて当接し、雌型内導体端子５０と雄型内導体端子７０、雌側ドレイン端子５２と雄側ドレイン端子７１、雌側外導体端子５１と雄側外導体端子７２がそれぞれ導通される。
【００１４】
【特許文献１】特開２００３−８６３０８号公報
【発明の開示】
【発明が解決しようとする課題】
【００１５】
ここで、一般に、高周波信号の伝送路上に特性インピーダンスが整合していない部分が存在すると、その不整合部において信号の反射が生じ、伝送ロス・波形歪などの不具合が生じることが知られている。
【００１６】
通常、高周波信号の伝送に用いられるシールドケーブルは、その特性インピーダンスが所定の値に設定されているため、シールドケーブル内において特性インピーダンスの不整合部はほとんど生じない。
【００１７】
しかしながら、例えば、シールドコネクタを用いてシールドケーブル同士を中継接続した場合、その中継地点となるシールドコネクタにおいて不整合部が生じ易くなる。
【００１８】
そのため、コネクタ側においても可能な限り特性インピーダンスを整合させることが重要となる。このような要請は、伝送路に伝送される高周波信号がより高速化されてきている近年にあっては、特に重要である。
【００１９】
ところが、従来知られる雌側シールドコネクタ、雄側シールドコネクタを用いてシールドケーブル同士を中継接続した場合、次のような問題があった。
【００２０】
すなわち、特性インピーダンスは、信号線の導体間の実効距離（導体間の物理的な距離／√（導体間の比誘電率））にほぼ比例する。
【００２１】
通常、信号線の導体断面積に比較して、内導体端子の断面積は非常に大きいことから、シールドコネクタでは、隣り合う内導体端子間の物理的な距離が、信号線の導体間の物理的な距離に比較して非常に狭くなっている。
【００２２】
そのため、従来のシールドコネクタでは、隣り合う内導体端子間の実効距離が狭まり、内導体端子部分において特性インピーダンスが低下するといった問題があった。
【００２３】
また、従来のシールドコネクタでは、正規嵌合面より後方において内導体端子の周囲が誘電体で覆われている。そのため、隣り合う内導体端子間に存在する誘電体によって上記実効距離が実質的にさらに小さくなり、上記隣り合う内導体端子間の物理的な距離が狭いことと相まって一層特性インピーダンスが低下するといった問題があった。
【００２４】
特に、上記特性インピーダンスの低下は、雌側シールドコネクタと雄側シールドコネクタとの正規嵌合時に、その正規嵌合面近傍において顕著に発生する。
【００２５】
この種の問題を回避するため、隣り合う内導体端子間の物理的な距離を広くし、内導体端子部分における特性インピーダンスをシールドケーブルの特性インピーダンスと整合させることも考えられる。
【００２６】
しかしながら、このような手法によれば、シールドコネクタを大型化せねばらず、近年のコネクタの小型化の流れにも逆行するといった問題が発生する。
【００２７】
一方、シールドケーブルの端末部分では、露出された信号線を各内導体端子に接続するに当たり、隣り合う信号線間の間隔を広げて接続を行う必要がある。
【００２８】
そのため、この部分では、隣り合う信号線間の実効距離が広くなり、特性インピーダンスが上がり過ぎるといった問題もあった。
【００２９】
本発明は、上記問題点に鑑みてなされたものであって、本発明が解決しようとする課題は、コネクタの大型化を招くことなく、正規嵌合面近傍の特性インピーダンスを上げることが可能なシールドコネクタユニットおよびシールドコネクタを提供することにある。また、本発明が解決しようとする他の課題は、内導体端子より後方における特性インピーダンスを下げることが可能なシールドコネクタの接続方法を提供することにある。
【課題を解決するための手段】
【００３０】
上記課題を解決するため、本発明に係るシールドコネクタユニットは、
筒状の嵌合部を有する複数の雌型内導体端子と、これら雌型内導体端子を収容保持する雌側端子収容部を有する雌側誘電体と、この雌側誘電体に収容保持された前記雌型内導体端子の外周を覆う雌側外導体端子とを少なくとも有し、正規嵌合面から前記雌側端子収容部までの間には、雌側空間部が設けられ、この雌側空間部中に露出された隣り合う各雌型内導体端子間は空気で満たされている雌側シールドコネクタと、タブ部を有する複数の雄型内導体端子と、これら雄型内導体端子を収容保持する雄側端子収容部を有する雄側誘電体と、この雄側誘電体に収容保持された前記雄型内導体端子の外周を覆う雄側外導体端子とを少なくとも有し、正規嵌合面から前記雄側端子収容部までの間には、雄側空間部が設けられ、この雄側空間部中に露出された隣り合う各雄型内導体端子間は空気で満たされている雄側シールドコネクタとを備え、両コネクタの正規嵌合時に、前記正規嵌合面において前記雌側空間部と前記雄側空間部とが連通されて一つの空間部が形成され、この空間部内において、前記雌型内導体端子と前記雄型内導体端子とが導通されることを要旨とする。
【００３１】
また、本発明に係る雌側シールドコネクタは、
筒状の嵌合部を有する複数の雌型内導体端子と、これら雌型内導体端子を収容保持する雌側端子収容部を有する雌側誘電体と、この雌側誘電体に収容保持された前記雌型内導体端子の外周を覆う雌側外導体端子とを少なくとも有するものであって、正規嵌合面から前記雌側端子収容部までの間には、雌側空間部が設けられ、この雌側空間部中に露出された隣り合う各雌型内導体端子間は空気で満たされていることを要旨とする。
【００３２】
また、本発明に係る雄側シールドコネクタは、
タブ部を有する複数の雄型内導体端子と、これら雄型内導体端子を収容保持する雄側端子収容部を有する雄側誘電体と、この雄側誘電体に収容保持された前記雄型内導体端子の外周を覆う雄側外導体端子とを少なくとも有するものであって、正規嵌合面から前記雄側端子収容部までの間には、雄側空間部が設けられ、この雄側空間部中に露出された隣り合う各雄型内導体端子間は空気で満たされていることを要旨とする。
【００３３】
また、本発明に係るシールドコネクタの接続方法は、上記雌側シールドコネクタが有する複数の雌側内導体端子または上記雄側シールドコネクタが有する複数の雄側内導体端子と雌側シールドケーブルまたは雄側シールドケーブルから露出された複数の信号線とを接続する際に、雌型内導体端子または雄型内導体端子よりも雌側シールドケーブル側または雄側シールドケーブル側の部分に配設される隣り合う各信号線間を誘電材料で被覆することを要旨とする。
【発明の効果】
【００３４】
本発明に係る雌雄のシールドコネクタ、シールドコネクタユニットによれば、雌側空間部、雄側空間部、あるいは、これらが連通されて形成された空間部内において、合成樹脂よりなる誘電体の比誘電率よりも小さな比誘電率をもつ空気により雌雄の内導体端子の周囲が覆われる。そのため、これら空間部内においては、雌雄の内導体端子（伝送路）間の実効距離が実質的に広くなり、特性インピーダンスが大きくなる。
【００３５】
したがって、上記雌雄のシールドコネクタ、シールドコネクタユニットによれば、正規嵌合面近傍の特性インピーダンスを上げることができる。
【００３６】
また、特性インピーダンスの整合を図るのに隣り合う内導体端子間の物理的な距離を広げる必要がないので、コネクタが大型化されることがない。また、空間部によりコネクタが軽量化されたり、材料費を抑制することができるなどの利点もある。
【００３７】
一方、本発明に係るシールドコネクタの接続方法によれば、雌型内導体端子または雄型内導体端子よりも雌側シールドケーブル側または雄側シールドケーブル側の部分に配設される隣り合う各信号線間が、空気よりも比誘電率が大きい誘電材料で被覆されるので、内導体端子より後方における特性インピーダンスを下げることができる。したがって、従来に比べ、コネクタ全体としてインピーダンスをより整合させることが可能となる。
【発明を実施するための最良の形態】
【００３８】
以下、本発明の一実施形態について、図１〜図１７を参照して詳細に説明する。なお、図では嵌合側を前方としている。
【００３９】
ここで、本実施形態に係るシールドコネクタユニットは、本実施形態に係る雌側シールドコネクタおよび雄側シールドコネクタを備えているが、雌側シールドコネクタが有する雌側誘電体および雄側シールドコネクタが有する雄側誘電体以外の部材については、従来例にて説明した雌側シールドコネクタおよび雄側シールドコネクタのものと同一のものを使用している。
【００４０】
そのため、従来例と同一の部材については説明を省略する。なお、以下では、従来例と同一の部材については、同一の符号を用いた。
【００４１】
（第１実施形態）
初めに、図１〜図７を参照し、第１実施形態に係るシールドコネクタユニット１０、雌側シールドコネクタ１１、雄側シールドコネクタ１２について説明する。図１〜図３に示すように、第１実施形態に係る雌側シールドコネクタ１１に好適に用いられる雌側誘電体１３は、所定の比誘電率を有する合成樹脂材料より略直方体状に形成されている。
【００４２】
雌側誘電体１３の前端面１４（後述する正規嵌合面Ｓと一致する）から後方には、所定の奥行きを有する雌側空間部１５が形成されている。この雌側空間部１５は、上下の壁面１６ａ、１６ｂ、左右の壁面１７ａ、１７ｂによりその周囲を取り囲まれている。これら壁面１６ａ、１６ｂ、１７ａ、１７ｂは、雌型内導体端子５０との間に僅かな隙間が形成されるように薄肉状に形成されている。
【００４３】
雌側空間部１５の奥行き面１８より後方には、前後方向に貫通する複数の雌側端子収容部１９が設けられ、雌側空間部１５の後方に雌側端子収容部１９の前方が連通されている。各雌側端子収容部１９の間には、隔壁２０が設けられ、雌型内導体端子５０、雌側ドレイン端子５２を離間させた状態で収容保持可能とされている。
【００４４】
なお、上記において、雌側空間部１５の奥行きは、各雌型内導体端子５０を、その前端面から所定範囲に亘って雌側空間部１５中に露出させた状態とし、かつ、各雌側端子収容部１９に収容保持可能であれば、どのような深さに設定されていても良い。ここでは、雌側空間部１５の奥行きは、各雌型内導体端子５０を、その嵌合部５５の前端面から約３分の２程度に亘って雌側空間部１５中に露出させた状態とし、各雌側端子収容部１９に各雌型内導体端子５０の残部が収容保持される深さに設定されている。
【００４５】
各雌側端子収容部１９の後方上面は、収容保持された雌型内導体端子５０、雌側ドレイン端子５２の接続部５６に、それぞれ雌側シールドケーブル５９の信号線６０、ドレイン線６５を上方から圧接接続できるよう開口されている。雌側ドレイン端子５２を収容保持する雌側端子収容部１９の前方上面には、雌側空間部１５と連通する溝部６８が形成されており、雌側空間部１５内に露出された雌側ドレイン端子５２と雌側外導体端子５１の弾性接触片６３とが導通可能とされている。各雌側端子収容部１９の後方には、雌側シールドケーブル５９の信号線６０およびドレイン線６５と雌側外導体端子５１の内側面との間に配置される板状部６９が延設されている。
【００４６】
ここで、従来例で説明した雌側誘電体５３と上記雌側誘電体１３とを比較すると、次の点で異なっている。すなわち、従来例で説明した雌側誘電体５３では、雌側端子収容部６６の後方から各雌型内導体端子５０が挿入されると、各雌型内導体端子５０の周囲全てが雌側誘電体５３で覆われる構成になっている。
【００４７】
これに対し、上記雌側誘電体１３では、雌側端子収容部１９の前方に雌側空間部１５が形成されているので、雌側端子収容部１９の後方から各雌型内導体端子５０が挿入されると、雌側空間部１５中に各雌型内導体端子５０の嵌合部５５が部分的に露出された状態で収容保持される。そのため、雌側空間部１５においては、隣接する各雌型内導体端子５０間が空気で満たされる構成になっている。
【００４８】
一方、図４〜図６に示すように、第１実施形態に係る雄側シールドコネクタ１２に好適に用いられる雄側誘電体２１は、所定の比誘電率を有する合成樹脂材料より略直方体状に形成されている。
【００４９】
雄側誘電体２１の前端面２２（後述する正規嵌合面Ｓと一致する）から後方には、所定の奥行きを有する雄側空間部２３が形成されている。この雄側空間部２３は、上下の壁面２４ａ、２４ｂ、左右の壁面２５ａ、２５ｂによりその周囲を取り囲まれている。これら壁面２４ａ、２４ｂ、２５ａ、２５ｂは、雄型内導体端子７０との間に僅かな隙間が形成されるように薄肉状に形成されている。
【００５０】
雄側空間部２３の奥行き面２６より後方には、前後方向に貫通する複数の雄側端子収容部２７が設けられ、雄側空間部２３の後方に雄側端子収容部２７の前方が連通されている。各雄側端子収容部２７の間には、隔壁２８が設けられ、雄型内導体端子７０、雄側ドレイン端子７１を離間させた状態で収容保持可能とされている。
【００５１】
なお、上記において、雄側空間部２３の奥行きは、各雄型内導体端子７０を、そのタブ部７５の後方から所定範囲に亘って雄側空間部２３中に露出させた状態とし、かつ、各雄側端子収容部２７に収容保持可能であれば、どのような深さに設定されていても良い。ここでは、雄側空間部２３の奥行きは、各雄型内導体端子７０を、そのタブ部７５後方の傾斜部２９を雄側空間部２３中に露出させた状態とし、各雄側端子収容部２７に各雄型内導体端子７０の残部が収容保持される深さに設定されている。
【００５２】
各雄側端子収容部２７の後方上面は、収容保持された雄型内導体端子７０、雄側ドレイン端子７１の接続部７６に、それぞれ雄側シールドケーブル７８の信号線７９、ドレイン線８４を上方から圧接接続できるよう開口されている。各雄側端子収容部２７の後方には、雄側シールドケーブル７８の信号線７９およびドレイン線８４と雄側外導体端子７０の内側面との間に配置される板状部８７が延設されている。
【００５３】
ここで、従来例で説明した雄側誘電体７３と上記雄側誘電体２１とを比較すると、次の点で異なっている。すなわち、従来例で説明した雄側誘電体７３では、雄側端子収容部８５の後方から各雄型内導体端子７０が挿入されると、各雄型内導体端子７０のタブ部７５より後方が雄側誘電体７３で覆われる構成になっている。
【００５４】
これに対し、上記雄側誘電体２１では、タブ部７５の後方に雄側空間部２３が形成されているので、雄側端子収容部２７の後方から各雄型内導体端子７０が挿入されると、雄側空間部２３中に各タブ部７５の後方の傾斜部２９が露出された状態で収容保持される。そのため、雄側空間部２３においては、隣接する各雄型内導体端子７０間が空気で満たされる構成になっている。
【００５５】
また、図７は、第１実施形態に係る雌側シールドコネクタ１１と雄側シールドコネクタ１２とを正規嵌合状態まで嵌合させて第１実施形態に係るシールドコネクタユニットとした際の断面図である。なお、本断面図は、従来例の図２０と同じ切断線により切断したものである。
【００５６】
図７に示すように、第１実施形態に係るシールドコネクタユニット１０では、雌側誘電体１３の内部に形成された雌側空間部１５と雄側誘電体２１の内部に形成された雄側空間部２３とが正規嵌合面Ｓを挟んで繋がり、全体として一つの空間部３０が形成されている。
【００５７】
ここで、上記にいう正規嵌合面Ｓとは、雌型シールドコネクタ１１と雄側シールドコネクタ１２とが正規嵌合状態まで嵌合された時に、その雌側シールドコネクタ１１の前端面を含む平面をいう。
【００５８】
一方、雌型内導体端子５０と雄型内導体端子７０、雌側ドレイン端子５１と雄側ドレイン端子７１は、上記空間部３０内において互いに嵌合されて導通状態とされている。
【００５９】
そのため、上記第１実施形態に係る雌雄のシールドコネクタ、シールドコネクタユニットによれば、雌側空間部、雄側空間部、あるいは、これらが連通されて形成された空間部内において、合成樹脂よりなる誘電体の比誘電率よりも小さな比誘電率をもつ空気により雌雄の内導体端子の周囲が覆われる。そのため、これら空間部内においては、隣り合う雌型内導体端子間、隣り合う雄型内導体端子間の実効距離が実質的に広くなり、特性インピーダンスが大きくなる。
【００６０】
したがって、上記雌雄のシールドコネクタ、シールドコネクタユニットによれば、正規嵌合面近傍の特性インピーダンスを上げることができる。
【００６１】
また、特性インピーダンスの整合を図るのに隣り合う内導体端子間の物理的な距離を広げる必要がないので、コネクタが大型化されることがない。また、空間部によりコネクタが軽量化される、材料費を抑制することができるなどの利点もある。
【００６２】
また、上記第１実施形態では、雌側空間部および雄側空間部の周囲に壁面があるので、雌型内導体端子および雄型内導体端子が雌側外導体端子および雄側外導体端子に接触するのを回避することができる。また、雌側シールドコネクタと雄側シールドコネクタとが嵌合されると、雌側誘電体および雄側誘電体の前端開口周縁が互いに当接し、それ以上雌側シールドコネクタが嵌入できなくなる。すなわち、上記雌側誘電体および雄側誘電体を用いた場合には、雌側シールドコネクタと雄側シールドコネクタとを正規嵌合状態まで容易に嵌合させることができるという利点がある。
【００６３】
（第２実施形態）
次に、図８〜図１４を参照し、第２実施形態に係るシールドコネクタユニット３１、雌側シールドコネクタ３２、雄側シールドコネクタ３３について説明する。ここで、第２実施形態における雌側誘電体３４および雄側誘電体３５は、上記第１実施形態にて説明した雌側誘電体１３および雄側誘電体２１と次の点で異なっており、その余については同様の構成を有している。
【００６４】
すなわち、図８〜図１０に示すように、雌側誘電体３４は、雌側誘電体１３における上下の壁面１６ａ、１６ｂ、左右の壁面１７ａ、１７ｂが取り払われている。
【００６５】
そのため、この雌側誘電体３４を用いた場合には、図１４に示すように、雌側端子収容部１９の後方から各雌型内導体端子５０が挿入されると、各雌型内導体端子５０の嵌合部５５が雌側誘電体３４の前端面３６より露出された状態で収容保持される。この際、雌側誘電体３４の前端面３６より前方には、雌側外導体端子５１の前端開口面３７（正規嵌合面Ｓと一致する）から雌側誘電体３４の前端面３６までに亘り、雌側外導体端子５１の上下の壁面、左右の壁面により周囲を取り囲まれた雌側空間部３８が形成される。
【００６６】
一方、図１１〜図１３に示すように、雄側誘電体３９は、雄側誘電体２１における上下の壁面２４ａ、２４ｂ、左右の壁面２５ａ、２５ｂが取り払われている。
【００６７】
そのため、この雄側誘電体３９を用いた場合には、図１４に示すように、雄側端子収容部２７の後方から各雄型内導体端子７０が挿入されると、各タブ部７５の後方の傾斜部２９が雄側誘電体３９の前端面４０より露出された状態で収容保持される。この際、正規嵌合面Ｓから雄側誘電体３９の前端面４０までに亘り、雄側外導体端子７２の上下の壁面、左右の壁面により周囲を取り囲まれた雄側空間部４１が形成される。
【００６８】
なお、第２実施形態では、図１４に示すように、正規嵌合面Ｓとほぼ同位置となる雄側外導体端子７２の上下の壁面には、内側に向かって規制片４２ａ、４２ｂが切り起こし形成されている。
【００６９】
そのため、雌側シールドコネクタ３２と雄側シールドコネクタ３３とが嵌合されると、雌側外導体端子５１の前端開口周縁が上記規制片４２ａ、４２ｂに当接し、正規嵌合状態まで嵌合可能となる。
【００７０】
なお、上記規正片４２ａ、４２ｂは、雄側外導体端子７２の左右の壁面に形成されていても良いし、もしくは、雌側外導体端子５０の上下の壁面に外側に向かって切り起こし形成されていても良い。あるいは、雌雄の外導体端子５１、７２の双方に規正片が形成されていても良い。すなわち、雌側シールドコネクタ３２の雄側シールドコネクタ３３内への嵌入が、正規嵌合位置で止まるように規制できる手段であれば、何れの規制手段を用いても良く、特に限定されるものではない。
【００７１】
上記第２実施形態に係るシールドコネクタユニット３１では、雌側空間部３８と雄側空間部４１とが正規嵌合面Ｓを挟んで繋がり、全体として一つの空間部４３が形成され、雌型内導体端子５０と雄型内導体端子７０、雌側ドレイン端子５２と雄側ドレイン端子７１は、この空間部４３内において互いに嵌合されて導通状態とされている。
【００７２】
そのため、上記第２実施形態に係る雌雄のシールドコネクタ、シールドコネクタユニットについても、上記第１実施形態に係る雌雄のシールドコネクタ、シールドコネクタユニットと同様の理由により、コネクタの大型化を招くことなく、正規嵌合面近傍の特性インピーダンスを上げることができる。
【００７３】
（第３実施形態）
次に、図１５を参照し、第３実施形態に係るシールドコネクタユニット４４について説明する。第３実施形態に係るシールドコネクタユニット４４は、第２実施形態に係る雌側シールドコネクタと、第１実施形態に係る雄側シールドコネクタとを備えている。
【００７４】
そのため、図１５に示すように、雌側誘電体３４の前端面３６より前方に形成された雌側空間部３８と雄側誘電体２１の内部に形成された雄側空間部２３とが正規嵌合面Ｓを挟んで繋がり、全体として一つの空間部４５が形成され、雌型内導体端子５０と雄型内導体端子７０、雌側ドレイン端子５２と雄側ドレイン端子７１は、この空間部４５内において互いに嵌合されて導通状態とされる。
【００７５】
そのため、上記第３実施形態に係る雌雄のシールドコネクタ、シールドコネクタユニットについても、上記第１、２実施形態に係る雌雄のシールドコネクタ、シールドコネクタユニットと同様の理由により、コネクタの大型化を招くことなく、正規嵌合面近傍の特性インピーダンスを上げることができる。
【００７６】
また、上記第３実施形態に係る雌雄のシールドコネクタ、シールドコネクタユニットでは、上記第２実施形態に係る雌雄のシールドコネクタ、シールドコネクタユニットのように、雄側外導体端子の上下の壁面に規制片を設けなくても、雌側外導体端子の前端開口周縁が、雄側誘電体の前端開口周縁に当接し、それ以上雌側シールドコネクタを嵌入できなくなるので、雌側シールドコネクタと雄側シールドコネクタとを正規嵌合状態まで容易に嵌合させることができる利点がある。
【００７７】
（第４実施形態）
次に、図１６および図１７を参照し、第４実施形態に係るシールドコネクタの接続方法について説明する。
【００７８】
図１６は、第１実施形態に係る雌側シールドコネクタ１１に本シールドコネクタの接続方法を適用した場合の平面図であり、図１７は、第１実施形態に係る雄側シールドコネクタ１２に本シールドコネクタの接続方法を適用した場合の平面図である。
【００７９】
図１６に示すように、雌側シールドケーブル５９の端末部分から露出された信号線６０、ドレイン線６５は、通常、雌側シールドケーブル５９内の信号線、ドレイン線の間隔より広い間隔に広げられて、雌型内導体端子５０の接続部５６、雌側ドレイン端子５２の接続部５６に接続される。
【００８０】
第４実施形態に係るシールドコネクタの接続方法は、上述した雌側シールドコネクタ１１を組み付ける際に、露出された信号線６０のうち、雌型内導体端子５０の接続部５６より後方に位置する部分を、予め空気より高い比誘電率を有する誘電材料４６により覆ってから接続を行うものである。なお、図１６では、信号線６０とともにドレイン線６５も一括して誘電材料で被覆した場合について示している。
【００８１】
ここで、上記誘電材料としては、具体的には、ＰＢＴ、ＳＰＳ、ポリテトラフルオロエチレンなどが挙げられる。好ましくは、成形性に優れるなどの観点から、ＰＢＴなどを用いると良い。
【００８２】
上述した雌側シールドコネクタ、雄側シールドコネクタにおいては、信号線が広げられた部分がそのままの状態にあると、信号線間の実効距離が広くなるため、この部分において特性インピーダンスが上がってしまう。
【００８３】
しかしながら、上述した雌側シールドコネクタ、雄側シールドコネクタについて、本シールドコネクタの接続方法を適用すれば、雌型内導体端子よりも後方に配設される隣り合う各信号線間が、空気よりも比誘電率が大きい誘電材料で被覆されるので、雌型内導体端子より後方における特性インピーダンスを下げることができる。したがって、従来に比べ、コネクタ全体として特性インピーダンスをより整合させることが可能となる。
【００８４】
なお、図１７に示すように、雄側シールドコネクタ１２に本シールドコネクタの接続方法を適用する場合については、上記雌側シールドコネクタ１１に示した場合と同様であるので説明は省略する。
【００８５】
以上、本実施形態に係る雌雄のシールドコネクタ、シールドコネクタユニットについて説明したが、本発明は上記実施形態に限定されるものではなく、本発明の趣旨を逸脱しない範囲で種々の改変が可能である。
【００８６】
例えば、上記第１実施形態では、雌側誘電体および雄側誘電体ともに、雌側空間部および雄側空間部が上下の壁面、左右の壁面により周囲を取り囲まれる構成としたが、それ以外にも、上下の壁面および左右の壁面のうち、いずれかを取り払って雌側空間部および雄側空間部を構成しても良く、特に限定されるものではない。
【００８７】
また、雌雄のドレイン端子にドレイン線を接続する場合について例示したが、それ以外にも、雌雄のドレイン端子を用いず、ドレイン線をシールドケーブルの外被上に反転させ、雌雄の外導体端子の圧着部により圧着する構成としても良い。
【００８８】
また、雌雄の内導体端子ともに、信号線を圧接接続する場合について説明したが、信号線の導体を雌雄の内導体端子にハンダなどにより接続しても良い。
【図面の簡単な説明】
【００８９】
【図１】第１実施形態に係る雌側シールドコネクタに用いられる雌側誘電体の外観斜視図である。
【図２】図１のＡ−Ａ断面を示した断面図である。
【図３】図１のＢ−Ｂ断面を示した断面図である。
【図４】第１実施形態に係る雄側シールドコネクタに用いられる雄側誘電体の外観斜視図である。
【図５】図４のＡ−Ａ断面を示した断面図である。
【図６】図４のＢ−Ｂ断面を示した断面図である。
【図７】第１実施形態に係る雌側シールドコネクタと雄側シールドコネクタとを正規嵌合状態まで嵌合させた第１実施形態に係るシールドコネクタユニットの断面図である。
【図８】第２実施形態に係る雌側シールドコネクタに用いられる雌側誘電体の外観斜視図である。
【図９】図８のＡ−Ａ断面を示した断面図である。
【図１０】図８のＢ−Ｂ断面を示した断面図である。
【図１１】第２実施形態に係る雄側シールドコネクタに用いられる雄側誘電体の外観斜視図である。
【図１２】図１１のＡ−Ａ断面を示した断面図である。
【図１３】図１１のＢ−Ｂ断面を示した断面図である。
【図１４】第２実施形態に係る雌側シールドコネクタと雄側シールドコネクタとを正規嵌合状態まで嵌合させた第２実施形態に係るシールドコネクタユニットの断面図である。
【図１５】第２実施形態に係る雌側シールドコネクタと第１実施形態に係る雄側シールドコネクタとを正規嵌合状態まで嵌合させた第３実施形態に係るシールドコネクタユニットの断面図である。
【図１６】第１実施形態に係る雌側シールドコネクタに本シールドコネクタの接続方法を適用した場合の平面図である。
【図１７】第１実施形態に係る雄側シールドコネクタに本シールドコネクタの接続方法を適用した場合の平面図である。
【図１８】従来例の雌側シールドコネクタを示した分解斜視図である。
【図１９】従来例の雄側シールドコネクタを示した分解斜視図である。
【図２０】図１８の雌側シールドコネクタと図１９の雄側シールドコネクタとを正規嵌合状態まで嵌合させた従来例のシールドコネクタユニットを示した平面図である。
【図２１】図２０のＡ−Ａ断面を示した断面図である。
【符号の説明】
【００９０】
１０  シールドコネクタユニット
１１  雌側シールドコネクタ
１２  雄側シールドコネクタ
１３  雌側誘電体
１５  雌側空間部
１９  雌側端子収容部
２１  雄側誘電体
２３  雄側空間部
２７  雄側担子収容部
２９  傾斜部
３０  空間部
３１  シールドコネクタユニット
３２  雌側シールドコネクタ
３３  雄側シールドコネクタ
３４  雌側誘電体
３５  雄側誘電体
３８  雌側空間部
３９  雄側誘電体
４１  雄側空間部
４３  空間部
４４  シールドコネクタユニット
４５  空間部
４６  誘電材料
５０  雌型内導体端子
５１  雌側外導体端子
５５  嵌合部
７０  雄型内導体端子
７２  雄側外導体端子
７５  タブ部
Ｓ    正規嵌合面
【図１】
2005347191.tif 000003
【図２】
2005347191.tif 000004
【図３】
2005347191.tif 000005
【図４】
2005347191.tif 000006
【図５】
2005347191.tif 000007
【図６】
2005347191.tif 000008
【図７】
2005347191.tif 000009
【図８】
2005347191.tif 000010
【図９】
2005347191.tif 000011
【図１０】
2005347191.tif 000012
【図１１】
2005347191.tif 000013
【図１２】
2005347191.tif 000014
【図１３】
2005347191.tif 000015
【図１４】
2005347191.tif 000016
【図１５】
2005347191.tif 000017
【図１６】
2005347191.tif 000018
【図１７】
2005347191.tif 000019
【図１８】
2005347191.tif 000020
【図１９】
2005347191.tif 000021
【図２０】
2005347191.tif 000022
【図２１】
2005347191.tif 000023